(57)【要約】      （修正有）【課題】狭いスペースでより多くの製品を生産し、製品精度を良くする乾燥装置を提供する。【解決手段】両側に離間して配置した上側スプロケット２と下側スプロケット８を配置し、上側スプロケット２と下側スプロケット８に吊りラック駆動チェーン６を備え、上側スプロケット２とを回転させるための駆動装置を装備し、上側スプロケット軸１３とスプロケット軸１２を備える。全体の枠となるフレーム枠と吊りラック駆動チェーン６に取付けるゴンドラを備え、ファンヒーター装置により乾燥空気が乾燥装置内を循環し排気出来る位置に電動シャッター７を備える。【選択図】図３
0003179841.tif 000002
【実用新案登録請求の範囲】
【請求項１】
魚介類や野菜などの食品や大量に生産された工業製品、又生ごみなどの立体型移動式乾燥装置において、両側に離間して配置した一対の上側スプロケットと一対の下側スプロケットを正逆回転自在に配置し、前記一対の上側スプロケットと下側スプロケットに一対の吊りラック駆動チェーンを備え、前記一対の上側スプロケットとを正逆回転自在に回転させるための駆動装置を装備し、前記上側スプロケットの軸となる上側スプロケット軸と前記下側スプロケットの軸となるスプロケット軸を備え、全体の枠となるフレーム枠と前記一対の吊りラック駆動チェーンに取付けるゴンドラを備えたことを特徴とする立体型移動式乾燥装置。
【請求項２】
一対の開閉戸と該開閉戸をスライドさせるレールを備えている請求項１記載の立体型移動式乾燥装置。
【請求項３】
ファンヒーター装置と、該ファンヒーター装置により加熱された乾燥空気が立体型移動式乾燥装置内に吹き込まれ、乾燥空気が立体型移動式乾燥装置内を循環し排気出来る位置に電動シャッターを備えた請求項１記載の立体型移動式乾燥装置。
【考案の詳細な説明】
【技術分野】
【０００１】  本考案は、大量の魚介類や野菜などの食品や工業製品を効率よく乾燥させる立体型移動式乾燥装置に関するものである。
【背景技術】
【０００２】  煮干の製造工程を例に説明すると、従来の煮干乾燥にあっては製造時に鰯を敷きつめたセイロを、釜でゆでて、炊き上がった順に、約２０段程度に積層する移動可能なラックに収め、ラックを大量に収納して乾燥させるような乾燥室を持ち、乾燥空間を画成する一面をほぼ形成するような加熱装置と、多数の送風機からなる乾燥用空気吹き込み装置を乾燥室の一端側に固定したり、両端に空気吹き込み装置を置き、過熱した乾燥用空気を乾燥室に吹き込んで内部に収納した被乾燥物の鰯を、乾燥させるように設けられている。
【先行技術文献】
【特許文献】
【０００３】
【特許文献】  特開２００２−２４３３６３
【考案の開示】
【考案が解決しようとする課題】
【０００４】    従来の製品乾燥にあっては定期的に乾燥物の移動を行なわなければ均一の精度化が出来ず乾燥中に係わる人手も多く必要としていた。また定期的に乾燥物の移動を行なうことでファンヒーター装置の加熱の経費も大きく、狭いスペースでより多くの製品を生産し、製品精度を良くし、その均一の精度化が出来る立体型移動式乾燥装置を提供することにある。
【課題を解決するための手段】
【０００５】  以上の目的を達成するために、魚介類や野菜などの食品や大量生産された工業製品、又生ごみなどの立体型移動式乾燥装置において、両側に離間して配置した一対の上側スプロケットと一対の下側スプロケットを正逆回転自在に配置し、前記一対の上側スプロケットと下側スプロケットに一対の吊りラック駆動チェーンを備え、前記一対の上側スプロケットとを正逆回転自在に回転させるための駆動装置を装備し、前記上側スプロケットの軸となる上側スプロケット軸と前記下側スプロケットの軸となるスプロケット軸を備え、全体の枠となるフレーム枠と前記一対の吊りラック駆動チェーンに取付けるゴンドラを装備したものである。【０００６】  ここで好ましい態様として、一対の開閉戸とその開閉戸をスライドさせるレールを備えるのがよい。【０００７】  又、ここで好ましい態様として、ファンヒーター装置により加熱された乾燥空気が立体型移動式乾燥装置内に吹き込まれ、乾燥空気が立体型移動式乾燥裝置内を循環し排気出来る位置に電動シャッターを備えるのがよい。
【考案の効果】
【０００８】  以上の記載よりこの考案に係る立体型移動式乾燥装置は魚介類や野菜などの食品や大量生産された工業製品、又生ごみなどの立体型移動式乾燥装置において、両側に離間して配置した一対の上側スプロケットと一対の下側スプロケットを正逆回転自在に配置し、前記一対の上側スプロケットと下側スプロケットに一対の吊りラック駆動チェーンを備え、前記一対の上側スプロケットとを正逆回転自在に回転させるための駆動装置を装備し、前記上側スプロケットの軸となる上側スプロケット軸と前記下側スプロケットの軸となるスプロケット軸を備え、全体の枠となるフレーム枠と前記一対の吊りラック駆動チェーンに取付けるゴンドラを備えることで収納した被乾燥物を最高の乾燥状態で、搬出が簡単に出来、太陽光などによる外部の熱を効果的に乾燥室内部に吸収することにより、ファンヒーター装置の加熱の経費削減ができる。又、定期的に乾燥物の移動を行なう必要がなく、人件費削減が出来る。又製品精度も良くなり均一の精度化が出来る。【０００９】  一対の開閉戸をスライドさせるレールを備えることで、開閉戸が重なって開けることが出来、冬場のサバ、アジなどの原料物の乾燥は、外気の風力、風向、湿度によっては、開閉戸を開放することによって、自然の風だけでの乾燥も出来て、減速機付モーターの駆動力により被乾燥物を載せたセイロの周回移動だけで、乾燥することも可能となる。【００１０】  ファンヒーター装置により加熱された乾燥空気が立体型移動式乾燥装置内に吹き込まれ、乾燥空気が立体型移動式乾燥装置内を循環し排気出来る位置に電動シャッターを備えることで高低差により自然な上昇空気の流れを利用することにより電力経費の削減となる。又地上高い位置に排出することで騒音、悪臭、熱風による公害の発生を抑制することも出来る。
【図面の簡単な説明】
【図１】本考案の実施例を示す立体型移動式乾燥装置の外形図である。
【図２】図１のＡ−Ａ矢視断面図である。
【図３】図２のＢ−Ｂ矢視断面図である。
【図４】図１のＣ−Ｃ矢視図である。
【考案を実施するための形態】
【００１１】  以下、図面に記載の考案の実施の形態に基づいて、この考案をより具体的に説明する。
【００１２】  以上の目的を達成するために、魚介類や野菜などの食品や大量生産された工業製品、又生ごみなどの立体型移動式乾燥装置において、両側に離間して配置した一対の上側スプロケット（２）と一対の下側スプロケット（８）を正逆回転自在に配置し、前記一対の上側スプロケット（２）と下側スプロケット（８）に一対の吊りラック駆動チェーン（６）を備え、前記一対の上側スプロケット（２）とを正逆回転自在に回転させるための駆動装置（１）を装備し、前記上側スプロケット（２）の軸となる上側スプロケット軸（１３）と前記下側スプロケット（８）の軸となる下側スプロケット軸（１２）を備え、全体の枠となるフレーム枠（５）と前記一対の吊りラック駆動チェーン（６）に取付けるゴンドラ（３）を備え、一対の開閉戸（１４）とその開閉戸（１４）をスライドさせるレール（１８）を備え、ファンヒーター装置（４）と、そのファンヒーター装置（４）により加熱された乾燥空気が立体型移動式乾燥装置内に吹き込まれ、乾燥空気が立体型移動式乾燥装置内を循環し排気出来る位置に電動シャッター（７）を備えたものから主に構成されている。
【００１３】  駆動装置（１）は減速機付モーター（１ｇ）より動力が発生し両側の上側スプロケット（２）を正逆回転自在に回転させるために備えられるもので減速機と電動機が一体化され乾燥物により回転力や回転速度を調整できる機能付の減速機付モーター（１ｇ）を使用する。
【００１４】  モーター側スプロケット（１ｂ）は減速機付モーター（１ｇ）の出力軸に差し込んで取付けられ外周を山谷が交互に加工された円盤状のプレートに片側にボスが付き減速機付モーター（１ｇ）の出力軸に差し込まれる丸穴加工が施されている。駆動軸スプロケット（１ｃ）も同様に山谷が交互に加工された円盤状のプレートに片側にボスが付き駆動軸に差し込まれる穴加工が施されている。
【００１５】  駆動軸（１ａ）は丸鋼の中実軸からなり減速機付モーター（１ｇ）からの動力を両側に伝えるために備えられる軸で、両側には伝達スプロケット小（１ｄ）が差し込まれる丸軸にキー溝加工が施されている。両端に差し込んで取付けられる伝達スプロケット小（１ｄ）の片側の内側には駆動軸スプロケット（１ｃ）が取付けられる丸軸にキー溝加工が施されている。又駆動軸（１ａ）の回転を滑らかにする軸受（１ｆ）が１本の駆動軸（１ａ）２ヶ所にセットされている。モーター側スプロケット（１ｂ）から駆動軸スプロケット（１ｃ）への動力伝達は一般に市販されているチェーンにより行なわれる。
【００１６】    軸受（１ｆ）はベアリング内蔵のピロー形ユニットを使用し、伝達装置及び一般機械などに最も多く使用されているもので鋳鉄製軸受箱に自動調心玉軸受との組合せからなる。
【００１７】  伝達スプロケット小（１ｄ）はモーター側スプロケット（１ｂ）や駆動軸スプロケット（１ｃ）と同様に外周を山谷が交互に加工された円盤状のプレートに片側にボスが溶接により固着されている。又、伝達スプロケット大（１ｅ）も外周を山谷が交互に加工された円盤状のプレートにボスを溶接し中央に丸穴加工とキー溝が施されている。伝達スプロケット小（１ｄ）から伝達スプロケット大（１ｅ）への動力伝達は一般に市販されているチェーンにより行なわれる。
【００１８】  上側スプロケット（２）は立体型移動式乾燥装置の内側上部に取付き上側スプロケット軸（１３）により軸支して取付けられ外周を山谷が交互に加工された円盤状のプレートとそのプレート中心にボスが溶接により固着され、中央に丸穴加工とキー溝が施されている。
【００１９】  ゴンドラ（３）はサイド軸（３ａ）とサイド軸（３ａ）の両側に離間して取付けられる一対のヒンジ（３ｂ）と収納棚（３ｃ）からなり、サイド軸（３ａ）の両端は一対の吊りラック駆動チェーン（６）にボルトにて取付けられている。ヒンジ（３ｂ）は収納棚（３ｃ）がどの位置に移動しても同一形状で吊り下げられる様に取付けられるものでヒンジ（３ｂ）にはサイド軸（３ａ）の径より少し大きめの穴加工が施されている。
【００２０】  ファンヒーター装置（４）はファンとヒーターが一体に組み込まれた装置でファンの風量の調整やヒーターの加熱量の調整が出来るものを使用する。
【００２１】  フレーム枠（５）は主柱（５ａ）と横梁（５ｂ）と外壁（５ｃ）から構成され主柱（５ａ）は４本柱で長方形の４角に配置し中空の角パイプからなり、横梁（５ｂ）は開閉戸（１４）の高さにより配置され主柱（５ａ）と同様に中空の角パイプからなる。外壁（５ｃ）は開閉戸（１４）や移動戸（１７）を取付けない部分に取付けるもので鋼板を貼り付けたものからなる。
【００２２】  吊りラック駆動チェーン（６）は上側スプロケット（２）と下側スプロケット（８）に掛けてゴンドラ（３）を上側スプロケット（２）の回転によってゴンドラ（３）を循環し、等間隔にサイド軸（３ａ）が取付けられる穴加工が施された吊りラック駆動チェーン（６）を使用する。
【００２３】  電動式シャッター（７）はファンヒーター装置（４）より加熱された乾燥空気が装置内に吹き込まれ、立体型移動式乾燥装置内を循環し電動式シャッター（７）で排気するために装備するもので操作盤にて電動式シャッター（７）の開閉を行なえるものとする。ファンヒーター装置（４）の容量により電動式シャッター（７）の容量も定められる。
【００２４】    下側スプロケット（８）は立体型移動式乾燥装置の内側下部に両側に離間して下側スプロケット軸（１２）により軸支して取付けられ、外周を山谷が交互に加工された円盤状のプレートとそのプレート中心にボスが溶接により固着され、中央に丸穴加工が施されている。下側スプロケット軸（１２）にベアリング（９）を挿入し下側スプロケット（８）の回転を滑らかにしている。ベアリング（９）はエネルギー損失や発熱を減少させ、部品の焼つきを防ぎ正確かつ滑らかに回転させるために使用され、内輪、外輪とも軌道は円弧状の深い溝になっていてグリスを封入した深溝玉軸受を使用する。
【００２５】  実施するための形態でのセイロ（１０）は乾燥を行うための製品を木製の木枠に網を取付け魚介類を敷き詰め収納棚（３）に入れ込んでセットする。
【００２６】  緊張用ボルト（１１）は吊りラック駆動チェーン（６）のテンションを調整するために取付けるもので両側に離間して取付けられた下側スプロケット軸（１２）の位置を変えることで下側スプロケット（８）の位置も変わり吊りラック駆動チェーン（６）の長さの調整を行える様に配置され全ネジ加工を行なった六角ボルトで六角ナットの位置で調整する。
【００２７】  下側スプロケット軸（１２）は立体型移動式乾燥装置の内側下部に両側に離間してフレーム枠（５）に取付けられるが、吊りラック駆動チェーン（６）のテンションを調整するためにフレーム枠（５）に取付けられる穴は縦長の穴とする。下側スプロケット軸（１２）は軸と取付けるためのプレートよりなりプレートは長方形で４角にフレーム枠（５）に取付きの丸穴加工が施され、プレートの上側部分に下側スプロケット（８）を差し込む軸が溶接により固着されている。
【００２８】  上側スプロケット軸（１３）は立体型移動式乾燥装置の上側部に両側に離間して軸受（１ｆ）により取付けられ立体型移動式乾燥装置の内側と外側に外壁（５ｃ）を貫通する様に配置され中実軸の丸鋼よりなり、内側には上側スプロケット（２）が取付き外側端には伝達スプロケット大（１ｅ）が取付けられる両端共に丸軸にキー溝加工が施されている。
【００２９】  開閉戸（１４）は自然の風と外気で乾燥を行なう時に開閉戸（１４）が重なり合ってあけることが出来るスライド式の戸を使用し、太陽光、紫外線を通す材質にすることで殺菌効果を得ることが出来る一般に市販されている窓枠を利用する。
【００３０】  ラダー（１５）は立体型移動式乾燥装置の点検等のメンテナンスに使用するもので山形鋼とフラットバー及び丸鋼の組合せ溶接によるもので、立体型移動式乾燥装置の側壁に取付けられ垂直梯子と補助枠から構成される。
【００３１】  手摺（１６）は立体型移動式乾燥装置の上側のデッキ部分外周を囲むように配置され山形鋼と丸鋼の組合せ溶接によるもので山形鋼はスタンションとしてフレーム枠（５）に取付けられる、丸鋼は山形鋼のスタンション間に渡して取付けたものからなる。
【００３２】  移動戸（１７）は乾燥を行うための製品を敷き詰めたセイロ（１０）の搬入搬出を行なうための部分で両サイドまでスライドさせて開口する構造になっている。運転中に立体型移動式乾燥装置が見えるように透明の樹脂にし、その枠は一般的に市販されている窓枠を使用する。
【００３３】  以上、この考案の立体型移動式乾燥装置の実施の形態に限定されるものではなく、この考案の精神を逸脱しない範囲での種々の改変をなし得る事はもちろんである。
【産業上の利用可能性】
【００３４】  この立体型移動式乾燥装置は魚介類や野菜などの食品だけでなく陶磁器製造や工業製品の乾燥工程としての適用が期待出来る。
【符号の説明】  １          駆動装置
１ａ        駆動軸
１ｂ        モーター側スプロケット
１ｃ        駆動軸スプロケット
１ｄ        伝達スプロケット小
１ｅ        伝達スプロケット大
１ｆ        軸受
１ｇ        減速機付モーター
２          上側スプロケット
３          ゴンドラ
３ａ        サイド軸
３ｂ        ヒンジ
３ｃ        収納棚
４          ファンヒーター装置
５          フレーム枠
５ａ        主柱
５ｂ        横梁
５ｃ        外壁
６          吊りラック駆動チェーン
７          電動式シャッター
８          下側スプロケット
９          ベアリング
１０          セイロ
１１          緊張用ボルト
１２          下側スプロケット軸
１３          上側スプロケット軸
１４          開閉戸
１５          ラダー
１６          手摺
１７          移動戸
１８          レール
【図１】
0003179841.tif 000003
【図２】
0003179841.tif 000004
【図３】
0003179841.tif 000005
【図４】
0003179841.tif 000006